(57)【特許請求の範囲】
【請求項１】
全体として前後方向に延びた形態の弾性接触片を角筒部で包囲し、前方から前記角筒部に差し込まれた雄タブを前記角筒部の天井板と前記弾性接触片との間で弾性的に挟むようにした端子金具において、
前記弾性接触片が、
基端部を前記角筒部の底板に支承され、斜め上前方に向かって延出する形態であって、その延出端部が前記雄タブとの接触部とされた第１板バネ部と、
この第１板バネ部の延出端において前記底板側へ折り返すように形成され、前記第１板バネ部の延出端から斜め下前方に向かって延出する形態であって、上面が雄タブの差込み方向に対して斜め方向のガイド斜面とされた密着折り返し部と、
この密着折り返し部から前記第１板バネ部の基端側へ向かって延出され、その延出端が前記雄タブとの弾性接触時には前記底板に当接した状態とされる第２板バネ部とを備えて構成されていることを特徴とする端子金具。
【請求項２】
前記第１板バネ部の基端部は、前記底板とは非連続な側板から略直角に延出されているとともに、この第１板バネ部の基端部の側縁部には係止縁部が形成されており、
前記底板の側縁には、その側縁から略直角曲げされて立ち上がると共に前記側板と略平行に対応する形態の係止板が連なり、
この係止板には、前記係止縁部を係止させることで前記第１板バネ部の基端部の浮き上がりを規制する係止孔が形成され、
前記底板には、その一部を底上げした形態であって、前記第１板バネ部の基端部の下面を当接させる底上げ部が形成されていることを特徴とする請求項１記載の端子金具。
【請求項３】
前記底板には、ハウジングに挿入されたときにそのハウジング内の樹脂ランスに対して抜止め状態となるように係止されるランス孔が形成されており、
前記弾性接触片が前記雄タブに対して弾性接触する状態では、前記第２バネの延出端が前記樹脂ランスに対して係止可能とされていることを特徴とする請求項１または請求項２に記載の端子金具。
【発明の詳細な説明】
【０００１】
【発明の属する技術分野】
本発明は、端子金具に関するものである。
【０００２】
【従来の技術】
前端部の角筒部内に弾性接触片を設け、角筒部内に差し込まれた雄タブを、弾性接触片と角筒部を構成する板部との間で弾性的に挟圧するようにした端子金具として、従来、特開２００２−１５８０３公報に開示されているものがある。この端子金具は、底板の前端から山形の弾性接触片を後方へ折り返すように延出させたものであり、角筒部に差し込まれた雄タブは、弾性接触片の山頂部と天井板との間で弾性的に挟まれるようになっている。この端子金具では、弾性接触片と雄タブとの接触圧を確保するために、弾性接触片の延出端（後端）を底板に当接させ、撓み接触片をその前後２点において底板で支持する構造となっている。
【０００３】
【発明が解決しようとする課題】
上記従来の端子金具では、弾性接触片を構成する前後２つの板バネ部が山形をなすように連なっているので、撓み接触片自身の前後長が長く、そのため、角筒部の前後長も長くなり、その結果、端子金具全体が大型となっている。
端子金具の前後長を短くする手段としては、弾性接触片を略Ｕ字形に折り返した形状にして２つの板バネ部を上下に配する構造も考えられる。しかし、このようにすると、略Ｕ字形の折り返し部によって２つの板バネ部の間に高低差が生じ、その分、弾性接触片が上下方向に大きくなり、ひいては、角筒部及び端子金具全体としても嵩高になるという問題が生じる。
【０００４】
本願発明は上記事情に鑑みて創案され、弾性接触片が角筒部内で２点支持されているものにおいて、小型化を図ることことを目的としている。
【０００５】
【課題を解決するための手段】
請求項１の発明は、全体として前後方向に延びた形態の弾性接触片を角筒部で包囲し、前方から前記角筒部に差し込まれた雄タブを前記角筒部の天井板と前記弾性接触片との間で弾性的に挟むようにした端子金具において、前記弾性接触片が、基端部を前記角筒部の底板に支承され、斜め上前方に向かって延出する形態とされ、その延出端部が前記雄タブとの接触部とされた第１板バネ部と、この第１板バネ部の延出端において前記底板側へ折り返すように形成され、前記第１板バネ部の延出端から斜め下前方に向かって延出する形態であって、上面が雄タブの差込み方向に対して斜め方向のガイド斜面とされた密着折り返し部と、この密着折り返し部から前記第１板バネ部の基端側へ向かって延出され、その延出端が前記雄タブとの弾性接触時には前記底板に当接した状態とされる第２板バネ部とを備えて構成されている。
【０００６】
請求項２の発明は、請求項１の発明において、前記第１板バネ部の基端部は、前記底板とは非連続な側板から略直角に延出されているとともに、この第１板バネ部の基端部の側縁部には係止縁部が形成されており、前記底板の側縁には、その側縁から略直角曲げされて立ち上がると共に前記側板と略平行に対応する形態の係止板が連なり、この係止板には、前記係止縁部を係止させることで前記第１板バネ部の基端部の浮き上がりを規制する係止孔が形成され、前記底板には、その一部を底上げした形態であって、前記第１板バネ部の基端部の下面を当接させる底上げ部が形成されている構成とした。
【０００７】
請求項３の発明は、請求項１または請求項２の発明において、前記底板には、ハウジングに挿入されたときにそのハウジング内の樹脂ランスに対して抜止め状態となるように係止されるランス孔が形成されており、前記弾性接触片が前記雄タブに対して弾性接触する状態では、前記第２バネの延出端が前記樹脂ランスに対して係止可能とされている構成とした。
【０００８】
【発明の作用及び効果】
［請求項１の発明］
撓み接触片を構成する第１板バネ部と第２板バネ部は折り返し形状をなしているので、２つの板バネ部を山形に連ねた形態の弾性接触片に比べると、本発明の弾性接触片の前後長は短くなっている。また、第２板バネ部は第１板バネ部と底板との間に位置するのであるが、この第１板バネ部の延出端と第２板バネ部の基端とは密着折り返し部を介して連なっているので、両板バネ部が略Ｕ字形に折り返した部分を介して連なる形態のものに比べると、第１板バネ部の延出端と第２板バネ部の基端との高低差が小さく、その分、弾性接触片の高さを低くすることができる。このように本発明の端子金具によれば、前後方向と高さ方向の両方向において小型化を図ることができる。
【０００９】
また、弾性接触片における雄タブとの接触位置が前端近くになるので、その分、雄タブの長さを短くすることができる。
また、密着折り返し部は雄タブの差込み方向に対して斜めを向いているので、雄タブが差し込まれる際には、その雄タブの先端が密着折り返し部の傾斜により正規の接触位置へ案内される。
［請求項２の発明］
第１板バネ部の基端部は、底板の底上げ部に当接されるとともに係止縁部を係止孔に係止させることで、上下方向へのガタ付きが防止されている。
【００１０】
また、第１板バネ部の基端部は、底板に形成した底上げ部に当接されているので、係止縁部の高さ、即ちこの係止縁部が係止される係止孔の上縁の高さは、底板よりも高い位置となる。したがって、係止縁部と係止孔との係止位置を、底板と係止板との境界における四半円弧部よりも上方の位置、即ち係止板における平板状の部分に設定することができる。これにより、係止縁部と係止孔との係止代として係止板の板厚分の寸法を設定した場合でも、係止縁部が係止板の外面側へ突出することがなくなる。
【００１１】
［請求項３の発明］
本発明の端子金具をハウジングに挿入すると共に弾性接触片が雄タブと弾性接触した状態では、樹脂ランスに対し、ランス孔の孔縁部と第２板バネ部の延出端との双方が当接する。したがって、ランス孔のみに係止する場合に比べると、本発明では、樹脂ランスにおける端子金具との係止面積が広くなっており、端子金具に抜き方向の外力が付与された際に、樹脂ランスへの押圧力が分散される。
【００１２】
【発明の実施の形態】
［実施形態１］
以下、本発明を具体化した実施形態１を図１乃至図９を参照して説明する。
尚、以下の説明において、前後方向については、図１における左側を前側ということにする。
本実施形態の端子金具Ｆは、いわゆる雌端子金具と称される形態のものであって、全体として前後方向に細長い形態をなしている。端子金具Ｆの前端部（略前半部分）は前後方向に貫通する角筒部１０となっており、この角筒部１０には、この端子金具Ｆが挿入される雌側ハウジング４０（本発明の構成要件であるハウジング）との嵌合相手である雄側ハウジング５０の雄タブＴが差し込まれるようになっている。端子金具Ｆの後端部（略後半部分）は、オープンバレル状の電線圧着部１１となっており、この電線圧着部１１には電線（図示せず）の端末部が圧着により導通可能に接続されるようになっている。
【００１３】
角筒部１０は、前後方向に細長い一定幅の天井板１２と、この天井板１２の右側縁から下方へ（天井板１２に対して直角に）延出されるとともに一定高さで前後方向に細長い形態の係止板１３と、この係止板１３の下端縁から直角方向左側へ張り出すとともに一定幅で前後方向に細長い形態とされた底板１４と、この底板１４の左側縁のうち後端部を除いた領域から上方へ僅かに立ち上がるとともに前後方向に細長い形態とされた下部板１５と、天井板１２の左側縁から下方へ（天井板１２に対して直角に）延出された側板１６とから構成されている。この側板１６の下端縁は、下部板１５の上端縁及び底板１４の後端部左側縁との間に僅かな隙間を空けるように段差状をなしている。上記各板同士が連なる直角曲げ加工部分は、四半円弧状に屈曲した状態となっている。また、天井板１２の後端は電線圧着部１１に連なっている。さらに、係止板１３の前端部には過度撓み規制孔１７が形成されているとともに、側板１６と下部板１５との隙間の前端部には、過度撓み規制孔１７と対応する過度撓み規制空間１８が形成されている。
【００１４】
係止板１３の後端部には、その下端部分（底板１４に連なる部分）を方形に切欠した形態の係止孔１９が形成されており、この係止孔１９の上縁には、後述する第１板バネ部２４の係止縁部２４Ｂが下から係止されるようになっている。この係止孔１９における上部領域（係止縁部２４Ｂとほぼ同じ高さの領域）は、係止板１３のうちの平板状部分（底板１４から遠い部分であって、係止板１３と底板１４との境界である四半円弧部２０よりも上方の部分）に配され、一方、係止孔１９における下部領域は、係止板１３と底板１４との境界である四半円弧部２０に配されている。
【００１５】
底板１４における係止孔１９に隣接する領域には、その底板１４の一部を叩き出し加工などによって上方へ打ち出すことにより、台座状の底上げ部２１が形成されている。底上げ部２１の上面と底板１４の上面との高低差は、底板１４の板厚とほぼ同じ寸法となっている。この底上げ部２１の上面には、第１板バネ部２４の基端部２４Ａが上から当接されている。また、底板１４の前端縁からは、保護板２２がほぼ直角に立ち上げられている。
【００１６】
角筒部１０内には、後端を角筒部１０に支持された前後方向に細長い形態の弾性接触片２３が収容されている。換言すると、弾性接触片２３は角筒部１０によって包囲されている。雄タブＴが前方から角筒部１０に挿入されると、その雄タブＴは天井板１２の下面と弾性接触片２３の接触部２７との間で弾性接触片２３の弾力により挟圧され、もって、雄端子金具Ｆと雄タブＴとが所定の接触圧をもって導通可能に接続されるようになっている。かかる弾性接触片２３は、第１板バネ部２４と、密着折り返し部２６と、第２板バネ部２９とから構成されている。
【００１７】
第１板バネ部２４の基端部２４Ａ（後端部）は、側板１６の後端部における下端縁から直角右方向に延出されていて、底板１４と平行な方形平板状をなしている。この基端部２４Ａにおける側板１６からの延出端縁（右端縁）は、係止縁部２４Ｂとなっている。第１板バネ部２４の基端部２４Ａは上記底板１４の底上げ部２１に上から当接されているとともに、係止縁部２４Ｂが上記係止孔１９の上縁に対して下から係止されており、これにより、第１板バネ部２４の基端部２４Ａの上下方向へのガタ付きが規制されている。また、係止縁部２４Ｂの右端面（延出端面）は、係止板１３の外面とほぼ面一か、その外面よりも僅かに内側に奥まった位置にある。したがって、係止縁部２４Ｂと係止孔１９との左右方向の係止代としては、係止板１３の板厚とほぼ同一の寸法分が確保されている。
【００１８】
この側板１６に連なる第１板バネ部２４は、斜め上前方に向かってほぼ直線状に延出され、その延出端部（前端部）が角筒部１０の前端に位置している。また、第１板バネ部２４の延出端部には、その左右両側縁から外側へ突出する一対の過度撓み規制片２５が形成されており、この両過度撓み規制片２５は、過度撓み規制孔１７及び過度撓み規制空間１８の中に入り込んでおり、第１板バネ部２４が上下方向へ過度に変位したときには、過度撓み規制片２５が過度撓み規制孔１７の孔縁及び側板１６の下縁又は下部板１５の上縁に当接することでそれ以上の第１板バネ部２４の変位が規制され、ひいては、弾性接触片２３の弾性限度を越えた過度の撓みが規制されるようになっている。
【００１９】
第１板バネ部２４の延出端には密着折り返し部２６が連なっている。密着折り返し部２６は、第１板バネ部２４の延出端から斜め下前方に向かって延出するとともに、その延出端（前端）において下面側（底板１４側）へ密着折り返し状に曲げ加工されて斜め上後方へ短く延出された形態となっている。
この密着折り返し部２６の基端と第１板バネ部２４の延出端とは、側方から見て山形に連なっており、この山形の連なり部分（弾性接触片２３において最も高い部分）が、雄タブＴとの接触部２７となっている。雄タブＴと弾性接触片２３とが接触しない自由状態（ハウジング４０，５０同士が未嵌合の状態）では、この接触部２７と天井板１２との間に雄タブＴの板厚よりも小さい寸法の隙間が空けられている。また、密着折り返し部２６の上面（接触部２７に連なる面）は、角筒部１０に対する雄タブＴの進入方向（天井板１２と平行な方向）に対して斜め方向をなすガイド斜面２８となっている。尚、上記した底板１４の保護板２２は、ガイド斜面２８よりも下方の領域、即ち第２板バネ部２９が隠れる高さとされている。
【００２０】
密着折り返し部２６の延出端には第２板バネ部２９が連なっている。第２板バネ部２９は、平板状をなし、密着折り返し部２６の延出端から斜め下後方へほぼ直線状に延出されている。したがって、密着折り返し部２６の延出端と第２板バネ部２９の基端（前端）とは屈曲した形態で連なっている。この第２板バネ部２９の延出端部は、底板１４と略並行をなすように僅かに曲げられた抜止部３０となっており、弾性接触片２３が雄タブＴと接触しない自由状態では、抜止部３０が底板１４の上面に当接されている。
【００２１】
このように弾性接触片２３は、第１板バネ部２４の基端部２４Ａと第２板バネ部２９の延出端（抜止部３０）との２点において底板１４で下から支承されている。この２点支持形態により、雄タブＴとの接触時には、弾性接触片２３の弾性復元力に起因する高い接触圧が確保されるようになっている。
また、第２板バネ部２９の長さは第１板バネ部２４の長さよりも短く、しかも、底板１４に対する第１板バネ部２４の傾斜角度に比べて第２板バネ部２９の傾斜角度は大きい角度となっている。したがって、第２板バネ部２９の抜止部３０は第１板バネ部２４の基端部２４Ａよりも前方に位置している。そして、底板１４には、第２板バネ部２９の抜止部３０と第１板バネ部２４の基端部２４Ａとの間に開口するランス孔３１が形成されている。弾性接触片２３が自由状態のとき、第２板バネ部２９の抜止部３０はランス孔３１の前縁よりも少し前方に位置するが、雄タブＴとの接触により弾性接触片２３が弾性撓みした状態では、抜止部３０は、底板１４上を後方へ摺動してランス孔３１の前縁とほぼ同じ位置まで移動するようになっている。
【００２２】
上記端子金具Ｆは、雌側ハウジング４０のキャビティ４１に後方から挿入される。キャビティ４１内には前方へ片持ち状に延出する形態の樹脂ランス４２が形成されており、端子金具Ｆの挿入過程では、樹脂ランス４２が角筒部１０の底板１４に押されて下方へ弾性撓みし、端子金具Ｆが正規挿入位置に達すると、樹脂ランス４２が弾性復帰してランス孔３１内に嵌合され、そのランス孔３１の前縁が樹脂ランス４２に対して前から係止されることで、端子金具Ｆが抜止状態に保持される。
【００２３】
この状態から雄側ハウジング５０を雌側ハウジング４０に嵌合させると、雄タブＴが角筒部１０内に進入して弾性接触片２３と天井板１２との間で弾性的に挟圧された状態で接続される。弾性接触片２３の弾性撓みに際しては、第１板バネ部２４がその基端部２４Ａに対して下方（底板１４との傾斜角度を小さくする方向）へ傾動するように変位し、この第１板バネ部２４の変位に伴なって密着折り返し部２６が下方へ変位し、その密着折り返し部２６の延出端に対して第２板バネ部２９が相対的に上方へ変位する。このとき第２板バネ部２９の延出端（抜止部３０）は底板１４上を滑るだけなので高さは変動しないが、第２板バネ部２９の基端は、密着折り返し部２６とほぼ一体となって下方（底板１４に接近する方向）へ変位する。したがって、第２板バネ部２９の底板１４に対する傾斜角度は、小さくなる。このように、弾性接触片２３は、第１板バネ部２４の基端部２４Ａと、第２板バネ部２９の基端（密着折り返し部２６の延出端）との２箇所において弾性撓みを生じ、この２箇所の弾性撓みによって弾性接触片２３と雄タブＴとの間で接触圧が確保される。また、雄タブＴとの接触状態では、抜止部３０が樹脂ランス４２に係止するようになる。
【００２４】
上述のように本実施形態においては、弾性接触片２３を構成する第１板バネ部２４と第２板バネ部２９は折り返し形状（概ね、Ｖ字形）をなしているので、２つの板バネ部を山形に連ねた形態の弾性接触片に比べると、本実施形態の弾性接触片２３の前後長は短くなっている。しかも、第２板バネ部２９は第１板バネ部２４と底板１４との間に位置するのであるが、この第１板バネ部２４の延出端と第２板バネ部２９の基端とは密着折り返し部２６を介して連なっているので、２つの板バネ部が略Ｕ字形に折り返した部分を介して連なる形態のものに比べると、第１板バネ部２４の延出端と第２板バネ部２９の基端との高低差が小さく、その分、弾性接触片２３の高さを低くすることができ、ひいては、角筒部１０及び端子金具Ｆ全体としての低背化が実現されている。このように本実施形態では、前後方向と高さ方向の両方向において端子金具Ｆの小型化が実現されている。
【００２５】
また、第１板バネ部２４が前方に向かって延出する形態とされ、その第１板バネ部２４の延出端部の接触部２７（即ち、弾性接触片２３の前端部）に雄タブＴが接触されるようになっているので、雄タブＴの長さを短くすることが可能となっている。
また、密着折り返し部２６は雄タブＴの差込み方向に対して斜めを向いていてその上面がガイド斜面２８となっているので、雄タブＴが差し込まれる際には、その雄タブＴの先端がガイド斜面２８の傾斜により正規の接触位置へ案内されるようになっている。しかも、ガイド斜面２８は密着折り返し部２６、即ち２枚重ねであって剛性の高い部分に形成されているので、雄タブＴが強く当たっても、密着折り返し部２６が変形することはない。
【００２６】
また、第１板バネ部２４の基端部２４Ａは、底板１４の底上げ部２１に当接されるとともに係止縁部２４Ｂを係止孔１９に係止させることで、上下方向へのガタ付きが防止されているのであるが、第１板バネ部２４の基端部２４Ａが当接している底上げ部２１は、底板１４の上面よりも高い位置にあり、また、基端部２４Ａと同じ高さの係止縁部２４Ｂの高さ、及びこの係止縁部２４Ｂが係止される係止孔１９の上縁の高さは、底板１４よりも高い位置に設定されている。つまり、係止縁部２４Ｂと係止孔１９との係止位置が、底板１４と係止板１３との境界における四半円弧部２０よりも上方の位置、即ち係止板１３における平板状の部分に設定されている。もし、図６（ｂ）に示すように、基端部２４ａが底板１４の上面に当接するとともに係止縁部２４ｂが四半円弧部２０と同じ高さで係止孔１９に係止される構造のものでは、係止縁部２４ｂと係止孔１９との係止代を係止板１３の板厚分だけ最大限に確保すると、係止縁部２４ｂの下縁が四半円弧部２０（角筒部１０）の外面から突出することになる。これに対し本実施形態では、図６（ａ）に示すように、底板１４に底上げ部２１を形成することで係止縁部２４Ｂを四半円弧部２０よりも上方の高さとなるように設定しているので、係止縁部２４Ｂと係止孔１９との係止代として係止板１３の板厚分の寸法（最大限の寸法）を設定した場合でも、係止縁部２４Ｂが係止板１３（角筒部１０）の外面側へ突出することはない。しかも、本実施形態では、係止縁部２４Ｂの下縁（四半円弧部２０に近い縁部であって、図６（ａ）における右下の縁部）をテーパ状に切欠しているので、角筒部１０からの突出防止が確実となっている。
【００２７】
また、本実施形態の端子金具Ｆを雌側ハウジング４０に挿入すると共に弾性接触片２３が雄タブＴと弾性接触した状態では、樹脂ランス４２に対し、ランス孔３１の前縁（孔縁部）と第２板バネ部２９の延出端の抜止部３０との双方が当接し、しかも、抜止部３０とランス孔３１の前縁（内周面）とが上下に並び且つほぼ面一状に連続している（図９を参照）。したがって、樹脂ランスがランス孔のみに係止する構造のものに比べると、本実施形態では、樹脂ランス４２における端子金具Ｆとの係止面積が広く（上下に大きく）なっている。したがって、端子金具Ｆに抜き方向の外力が付与された際に、樹脂ランス４２への押圧力が分散され、樹脂ランス４２の破損を防止することができる。
【００２８】
［他の実施形態］
本発明は上記記述及び図面によって説明した実施形態に限定されるものではなく、例えば次のような実施態様も本発明の技術的範囲に含まれ、さらに、下記以外にも要旨を逸脱しない範囲内で種々変更して実施することができる。
（１）上記実施形態では雄タブが非接触のときにも第２板バネ部の延出端が底板に当接するようにしたが、本発明によれば、雄タブが非接触のときには第２板バネ部の延出端が底板と非接触であり、雄タブが挿入されて弾性接触片が弾性撓みしたときに第２板バネ部の延出端が底板に当接するようにしてもよい。
【００２９】
（２）上記実施形態では第２板バネ部の延出端が樹脂ランスとの係止部を兼ねるようにしたが、本発明によれば、第２板バネ部の延出端が樹脂ランスに係止しない構成としてもよい。
（３）上記実施形態では第２板バネ部の延出端が弾性接触片の弾性撓みに伴って底板上で摺接するようにしたが、本発明によれば、第２板バネ部の延出端を底板に対して前後方向に遊動しないように固定してもよい。
【００３０】
（４）上記実施形態では第１板バネ部を側板から延出させるとともに雄タブとの接圧を底板で受けるようにしたが、本発明によれば、第１板バネ部を底板から延出させるとともに雄タブとの接圧を同じく底板で受けるようにしてもよい。
【００３１】
（５）上記実施形態では底板の一部を底上げしてその底上げ部に第１板バネ部の基端部を支承させるようにしたが、本発明によれば、底上げ部を形成しない構成としてもよい。
【図面の簡単な説明】
【図１】実施形態１の端子金具の縦断面図
【図２】端子金具の左側面図
【図３】他の右側面図
【図４】図１の部分拡大図
【図５】端子金具の正面図
【図６】（ａ）図２のＹ−Ｙ線横断面図（ｂ）変形例の部分横断面図
【図７】図１のＸ−Ｘ線断面図
【図８】連鎖端子状態の端子金具の平面図及び端子金具の曲げ加工前の展開図
【図９】端子金具をハウジングに挿入するとともに、雄タブと接続された状態をあらわす縦断面図
【符号の説明】
Ｆ…端子金具
Ｔ…雄タブ
１０…角筒部
１２…天井板
１３…係止板
１４…底板
１６…側板
１９…係止孔
２１…底上げ部
２３…弾性接触片
２４…第１板バネ部
２４Ａ…第１板バネ部の基端部
２４Ｂ…係止縁部
２６…密着折り返し部
２９…第２板バネ部
３０…抜止部（第２板バネ部の延出端）
３１…ランス孔
４０…雌側ハウジング（ハウジング）
４２…樹脂ランス
【図１】
0003770205.tif 000002
【図２】
0003770205.tif 000003
【図３】
0003770205.tif 000004
【図４】
0003770205.tif 000005
【図５】
0003770205.tif 000006
【図６】
0003770205.tif 000007
【図７】
0003770205.tif 000008
【図８】
0003770205.tif 000009
【図９】
0003770205.tif 000010